【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項２】
前記表面が定期的に水と接触する、請求項１に記載の方法。
【請求項３】
前記表面が周囲温度以下である、請求項１に記載の方法。
【請求項４】
前記表面が透明材料、衣類、自動車部品、レクリエーション用品、小火器、調理器具または金物にある、請求項２に記載の方法。
【請求項５】
前記透明材料が光学部品、レンズ、ポリカーボネート、ガラス、フロントガラス、スクリーンおよびミラーから成る群より選択される、請求項４に記載の方法。
【請求項６】
前記衣類が装身具、靴、ブーツ、手袋およびコートから成る群より選択される、請求項４に記載の方法。
【請求項７】
前記自動車部品がフロントガラス、ガラス、レザー、ビニル、ホイール、ワイパー、バンパー、ガラス繊維およびモータから成る群より選択される、請求項４に記載の方法。
【請求項８】
前記モータがアウトボードモータである、請求項７に記載の方法。
【請求項９】
前記レクリエーション用品がスノースキー、スノーブーツ、スノーシュー、トレッキングポール、ウェイクボード、水上スキー、サーフボード、ボディボード、ブギーボード、ペイントボールガン、ゴーグル、スノーモービル、ジェットスキー、オートバイ、ダートバイク、自転車、矢、矢じり、矢羽根、デコイ、馬具および釣具から成る群より選択される、請求項４に記載の方法。
【請求項１０】
前記釣具が釣糸、釣用ガイド、釣竿、釣用リール、フライアップ・フロータント、ハードルアー、釣針およびソフトベイトから成る群より選択される、請求項９に記載の方法。
【請求項１１】
前記小火器が拳銃、ライフル、銃腔および弾薬から成る群より選択される、請求項４に記載の方法。
【請求項１２】
前記調理器具が皿、鍋、ポット、ピーラー、カッター、スライサー、ボウル、ビーター、グラインダー、アイロン、グリドル、台所用品、スプーン、フォーク、ナイフおよびおろし器から成る群より選択される、請求項４に記載の方法。
【請求項１３】
前記金物がスノーシャベル、レーキ、鋤、こて、球根採掘具、蛇口、ノズル、かみそり、はさみ、クリッパー、ペディキュア用具、マニキュア用具およびくしから成る群より選択される、請求項４に記載の方法。
【請求項１４】
前記ポリシランが、式（Ｒ１Ｒ２Ｓｉ）ｎのポリシランであり、式中、ｎは１より大きく、Ｒ１およびＲ２は、同一であるか又は異なっており、それぞれ、アルキル、アルケニル、シクロアルキル、アルキルアミノ、アリール、アラルキルまたはアルキルシリルである、請求項１に記載の方法。
【請求項１５】
釣具の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項１６】
前記混合物が釣糸、釣竿、釣用リール、光学部品、レンズ、フロントガラス、風よけ、ハードルアー、釣針およびソフトベイトから成る群より選択される少なくとも１つに移行される、請求項１５に記載の方法。
【請求項１７】
前記硬化したコーティングが前記表面での摩擦を低減する、前記釣具のキャスティングを改善する、泥の蓄積を減少させる、または氷の蓄積を減少させる、請求項１６に記載の方法。
【請求項１８】
衣類の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項１９】
前記衣類が装身具またはレザーブーツである、請求項１８に記載の方法。
【請求項２０】
前記硬化したコーティングが前記装身具の耐食特性を改善する、請求項１９に記載の方法。
【請求項２１】
前記硬化したコーティングが前記レザーブーツの抗アレルギー特性および撥水特性を改善した、請求項１９に記載の方法。
【請求項２２】
自動車車両の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項２３】
前記混合物がフロントガラス、ガラス、レザー、ビニル、ホイール、ワイパーおよびバンパーから成る群より選択される少なくとも１つに移行される、請求項２２に記載の方法。
【請求項２４】
前記硬化したコーティングが前記バンパーへの虫の付着を減少させる、請求項２３に記載の方法。
【請求項２５】
マリンビークルの表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項２６】
前記混合物がモータ、ガラス、セラミック、ガラス繊維およびポリ（メチルメタクリレート）から成る群より選択される少なくとも１つに移行される、請求項２５に記載の方法。
【請求項２７】
前記硬化したコーティングが前記モータを保護する、請求項２６に記載の方法。
【請求項２８】
レクリエーション用品の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項２９】
前記混合物がスノースキー、スノーブーツ、スノーシュー、ウェイクボード、水上スキー、サーフボード、ペイントボールガン、ペイントボールゴーグル、スノーモービル、ジェットスキー、オートバイ、ダートバイクおよび自転車から成る群より選択される少なくとも１つに移行される、請求項２８に記載の方法。
【請求項３０】
前記硬化したコーティングが滑らかさまたは氷形成抵抗性を改善する、請求項２９に記載の方法。
【請求項３１】
小火器の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項３２】
前記混合物が前記小火器の銃腔に移行される、請求項３１に記載の方法。
【請求項３３】
前記硬化したコーティングが前記小火器のクリーニング時間を短縮する、請求項３１に記載の方法。
【請求項３４】
前記硬化したコーティングがジャケットファウリングおよびパウダーファウリングを減少させる、請求項３１に記載の方法。
【請求項３５】
前記硬化したコーティングが前記小火器の銃身寸法を変更しない、または前記小火器の外観を変化させない、請求項３１に記載の方法。
【請求項３６】
前記硬化したコーティングが防食を改善する、請求項３１に記載の方法。
【請求項３７】
前記硬化したコーティングが前記小火器の銃身を内部摩耗から保護する、請求項３１に記載の方法。
【請求項３８】
前記硬化したコーティングが前記小火器からの熱放散を改善する、請求項３１に記載の方法。
【請求項３９】
前記硬化したコーティングが前記小火器の静電電荷を低下させる、請求項３１に記載の方法。
【請求項４０】
弾薬の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項４１】
前記硬化したコーティングが防食を改善する、請求項４０に記載の方法。
【請求項４２】
前記硬化したコーティングが前記弾薬の再装填効率を改善する、請求項４１に記載の方法。
【請求項４３】
調理器具の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項４４】
前記混合物が皿または鍋に移行される、請求項４３に記載の方法。
【請求項４５】
前記硬化したコーティングが付着防止特性を改善する、請求項４４に記載の方法。
【請求項４６】
前記調理器具が皿、鍋、ポット、ピーラー、カッター、スライサー、ボウル、ビーター、グラインダー、アイロン、グリドル、台所用品、スプーン、フォーク、ナイフおよびおろし器から成る群より選択される、請求項４３に記載の方法。
【請求項４７】
前記ポリシランが、式（Ｒ１Ｒ２Ｓｉ）ｎのポリシランであり、式中、ｎは１より大きく、Ｒ１およびＲ２は、同一であるか又は異なっており、それぞれ、アルキル、アルケニル、シクロアルキル、アルキルアミノ、アリール、アラルキルまたはアルキルシリルである、請求項４３に記載の方法。
【請求項４８】
馬具の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項４９】
前記混合物がレザーに適した調整剤をさらに含む、請求項４８に記載の方法。
【請求項５０】
前記硬化したコーティングが防食を改善する、請求項４８に記載の方法。
【請求項５１】
住宅に通常見られる表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項５２】
前記混合物がスノーシャベル、園芸用具、ナイフ、カトラリー、おろし器、ピーラー、ピザカッター、スライサー、キッチン用品、ミキサーバウアー、ビーター、コーヒーグラインダー、ワッフル焼き型、グリドル、台所用品、ミラー、シャワー、シンクおよび蛇口から成る群より選択される少なくとも１つに移行される、請求項５１に記載の方法。
【請求項５３】
前記混合物がキッチンまたはバスルームで使用するのに適したワックス剤をさらに含む、請求項５２に記載の方法。
【請求項５４】
アーチェリー用具の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項５５】
前記混合物が矢またはデコイから成る群より選択される少なくとも１つに移行される、請求項５４に記載の方法。
【請求項５６】
前記矢の表面が矢じり、矢軸または矢羽根である、請求項５５に記載の方法。
【請求項５７】
前記硬化したコーティングが氷の蓄積に対する抵抗性を改善する、請求項５５に記載の方法。
【請求項５８】
手袋の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項５９】
前記硬化したコーティングが前記手袋の表面の把持特性を改善する、請求項５８に記載の方法。
【請求項６０】
美容用品の表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項６１】
前記混合物がかみそり、はさみ、クリッパー、ペディキュア用具、マニキュア用具およびくしから成る群より選択される少なくとも１つに移行される、請求項６０に記載の方法。
【請求項６２】
前記硬化したコーティングが前記表面の切断機能を改善する、請求項６１に記載の方法。
【請求項６３】
前記硬化したコーティングが前記表面の滑らかさを改善する、請求項６１に記載の方法。
【請求項６４】
電子スクリーンの表面をコーティングする方法であって、
（ａ）ポリシラザン、ポリシラン、シロキサンおよび少なくとも１種の有機溶媒を含む非水ケイ素系コーティング組成物を形成するための構成成分の混合物で湿らせたタオレットを提供することと、
（ｂ）前記混合物を前記タオレットから移行させて表面上にコーティングを形成することと、
（ｃ）追加の熱を用いずに、周囲環境で前記コーティングを硬化させることと、
を含む方法。
【請求項６５】
前記電子スクリーンが携帯電話、コンピュータ、モニタまたはテレビにある、請求項６４に記載の方法。
【請求項６６】
前記硬化したコーティングが前記表面の保護を改善する、請求項６５に記載の方法。
【請求項６７】
表面をコーティングするための湿らせたタオレットであって、
前記タオレットは、
（ａ）基材と、
（ｂ）ポリシラザン、ポリシラン、シロキサンおよび少なくとも１種の有機溶媒を含む非水ケイ素系コーティング組成物を形成するための構成成分の混合物と、
を含み、
前記混合物は、表面に適用されるまで前記基材中に含有され、前記混合物の適用後に、前記表面上の前記混合物のコーティングは、追加の熱を用いずに、周囲環境で硬化する、
タオレット。
【請求項６８】
前記基材が多孔質または繊維質である、請求項６７に記載の湿らせたタオレット。
【請求項６９】
前記基材が紙、綿またはポリエステルを含む、請求項６７に記載の湿らせたタオレット。
【請求項７０】
前記タオレットが基材面積１ｃｍ２当たり約０．０１ｇ〜約１ｇの混合物を含む、請求項６７に記載の湿らせたタオレット。